(57)【要約】  【課題】  過去の交通情報を利用して便利な案内情報を提供できるナビゲーション装置を提供する。  【解決手段】  過去交通情報記憶部２０は、交通情報センターから過去の所定の提供期間内にリアルタイムに提供された交通情報を、提供期間の経過後に過去交通情報として記憶している。ナビゲーション案内処理部１２は、過去交通情報記憶部２０から読み出した過去交通情報を用いて案内情報を生成する。【選択図】  図１
2005181152.tif 000002
【特許請求の範囲】
【請求項１】
交通情報センターから過去の所定の提供期間内にリアルタイムに提供された交通情報が前記提供期間の経過後に過去交通情報として格納された過去交通情報記憶手段と、
前記過去交通情報記憶手段から読み出した過去交通情報を用いて案内情報を生成する案内処理手段と、
を備えることを特徴とするナビゲーション装置。
【請求項２】
前記過去交通情報記憶手段は、前記提供期間の前記交通情報のうちの渋滞情報を限定的に前記過去交通情報として記憶していることを特徴とする請求項１に記載のナビゲーション装置。
【請求項３】
前記過去交通情報記憶手段は、過去のリアルタイムな提供時点が互いに離れるように前記提供期間の交通情報から抽出された抽出渋滞情報を前記過去交通情報として記憶していることを特徴とする請求項２に記載のナビゲーション装置。
【請求項４】
前記過去交通情報記憶手段に記憶されている過去交通情報のデータのフォーマットを、前記交通情報センターが交通情報をリアルタイムに通信で提供するときのデータのフォーマットへと変換するフォーマット変換手段を備えることを特徴とする請求項１乃至３のいずれかに記載のナビゲーション装置。
【請求項５】
前記交通情報センターから通信でリアルタイムに交通情報を入手する交通情報受信手段を備え、
前記案内処理手段は、前記交通情報受信手段により前記交通情報センターから入手される現在交通情報と前記過去交通情報記憶手段に記憶されている過去交通情報を用いて案内情報を生成することを特徴とする請求項１乃至４のいずれかに記載のナビゲーション装置。
【請求項６】
前記案内処理手段は、前記現在交通情報が示す現在の交通情報よりも未来の予測交通情報として、前記過去交通情報記憶手段に記憶された過去交通情報を用いることを特徴とする請求項５に記載のナビゲーション装置。
【請求項７】
前記案内処理手段は、前記交通情報受信手段により前記交通情報センターから受信される前記現在交通情報が網羅する地理的範囲外の地域に関連する案内情報の生成のために前記過去交通情報記憶手段に記憶された過去交通情報を用いることを特徴とする請求項５に記載のナビゲーション装置。
【請求項８】
前記案内処理手段は、前記交通情報受信手段により前記交通情報センターから前記現在交通情報が受信されない未受信期間に前記過去交通情報を用いることを特徴とする請求項５に記載のナビゲーション装置。
【請求項９】
前記案内処理手段は、前記交通情報受信手段が前記交通情報センターから前記現在交通情報を受信不能なエリアで、前記過去交通情報記憶手段に記憶された過去交通情報を用いることを特徴とする請求項５に記載のナビゲーション装置。
【請求項１０】
前記案内処理手段は、前記過去交通情報記憶手段に記憶された、提供時点がずれた複数時点の過去交通情報を用いて交通状況の時間的変化を表す案内情報を生成することを特徴とする請求項１に記載のナビゲーション装置。
【請求項１１】
前記案内処理手段は、同地点における複数時点の過去交通情報を次々と提示する案内情報を生成することで、同地点における交通状況の時間的変化を表す案内情報を生成することを特徴とする請求項１０に記載のナビゲーション装置。
【請求項１２】
前記案内処理手段は、現在位置からの距離に応じて提供時点がずれた複数時点の過去交通情報を用いて案内情報を生成することを特徴とする請求項１に記載のナビゲーション装置。
【請求項１３】
前記案内処理手段は、現在位置周辺に関しては交通情報受信手段により交通情報センターから通信でリアルタイムに得られる現在交通情報を用いることを特徴とする請求項１２に記載のナビゲーション装置。
【請求項１４】
交通情報センターから過去の所定の提供期間内にリアルタイムに提供された交通情報が前記提供期間の経過後に過去交通情報として格納された過去交通情報記憶手段から過去交通情報を読み出すステップと、
前記過去交通情報記憶手段から読み出された過去交通情報を用いて案内情報を生成するステップと、
を備えることを特徴とするナビゲーション方法。
【請求項１５】
交通情報センターから過去の所定の提供期間内にリアルタイムに提供された交通情報が前記提供期間の経過後に過去交通情報として格納された過去交通情報記憶手段から過去交通情報を読み出すステップと、
前記過去交通情報記憶手段から読み出された過去交通情報を用いて案内情報を生成するステップと、
をコンピュータに実行させることを特徴とするプログラム。
【請求項１６】
請求項１５に記載のプログラムを格納した、コンピュータにて読取可能な記録媒体。
【発明の詳細な説明】
【技術分野】
【０００１】
本発明は、過去の交通情報を利用して生成した案内情報を提供するナビゲーション装置に関する。
【背景技術】
【０００２】
従来、ナビゲーション装置は、車両のユーザに便利な情報を提供する車載電子機器として知られている。ナビゲーション装置は、現在位置検出手段および地図データベースを備え、各種の案内情報を生成し、ディスプレイおよびスピーカといった出力装置を介してユーザに提供する。例えば、現在位置周辺の地図がディスプレイに表示され、また、現在位置から目的地までの最適経路が探索されて、地図上に表示される。
【０００３】
ナビゲーション装置でリアルタイムな交通情報を利用可能にする技術として、ＶＩＣＳ（Vehicle Information and Communication System）が実用化されている。ＶＩＣＳは、ＩＴＳ（Intelligent Transport Systems）の一つであり、ＶＩＣＳセンターから車両へと、ＶＩＣＳデータが通信で提供される。ＶＩＣＳデータは交通情報のデータであり、渋滞等の情報を含んでいる。
【０００４】
従来、ＶＩＣＳの交通情報は、ＶＩＣＳセンターからＦＭ放送網および路側ビーコン経由でナビゲーション装置に受信されている。また、交通情報をサーバから通信でナビゲーション装置に受信させることも提案されている。
【０００５】
そして、受信した交通情報は、典型的には、地図、図形等への渋滞、規制等の表示に利用される。また、交通情報を考慮した経路探索を行うことも提案されている。
【０００６】
また、特開２００１−１１８１８８号公報（特許文献１）に開示されるナビゲーション装置では、受信手段で受信された交通情報が蓄積される。そして、ナビゲーション装置は、蓄積した交通情報を検索し、表示する。
【特許文献１】特開２００１−１１８１８８号公報（第３ページ、図１）
【発明の開示】
【発明が解決しようとする課題】
【０００７】
しかしながら、従来のナビゲーション装置は、交通情報センターから、受信直前の時刻における交通情報しか受信できず、そのために、受信した交通情報からは現在の状況しか把握できない。
【０００８】
また、従来のナビゲーション装置においては、受信できる交通情報が網羅する地理的範囲が制限されている。すなわち、ＦＭ多重放送およびビーコンともに、一つの県内又は一定の範囲内の交通情報しか提供していない。これにより、ユーザに提供できる案内の内容も制限されてしまう。
【０００９】
また、従来のナビゲーション装置においては、交通情報を受信するまでにある程度の時間がかかり、受信までの間は交通情報を使った案内ができないという問題がある。ＦＭ多重放送では、始動（ＡＣＣオン）から交通情報の受信まで約２分を要する。また、ビーコンについては、ビーコンアンテナが設置されている場所に車両が到達するまでは、交通情報が得られない。
【００１０】
また、従来のナビゲーション装置は、交通情報を受信できる場所が制限されている。ＦＭ多重放送では、ＦＭ電波を受信可能な場所でしか受信できず、ビーコンについては、ビーコンアンテナがある場所でしか受信できず、そのために、交通情報を使った案内ができない場所がある。
【００１１】
また、上記特許文献１に記載のナビゲーション装置は、前述のように受信手段で受信した交通情報を蓄積しており、蓄積した交通情報を役立てられる。しかし、過去に車両を使ったときに受信した交通情報しか蓄積できていないので、蓄積されている交通情報が制限されており、蓄積情報を使って提供できる案内情報も制限される。
【００１２】
本発明は上記背景の下でなされたものであり、その目的は、過去の交通情報を利用して、より便利な案内情報を提供できるナビゲーション装置を提供することにある。
【課題を解決するための手段】
【００１３】
本発明のナビゲーション装置は、交通情報センターから過去の所定の提供期間内にリアルタイムに提供された交通情報が前記提供期間の経過後に過去交通情報として格納された過去交通情報記憶手段と、前記過去交通情報記憶手段から読み出した過去交通情報を用いて案内情報を生成する案内処理手段とを備える。
【００１４】
この構成により、ナビゲーション装置は、リアルタイムな情報提供よりも後にまとめて過去交通情報記憶手段に格納された過去交通情報を利用して案内情報を生成でき、したがって、リアルタイムな交通情報を用いるだけでは提供できない便利な案内情報をユーザに提供できる。
【００１５】
また、本発明のナビゲーション装置において、前記過去交通情報記憶手段は、前記提供期間の前記交通情報のうちの渋滞情報を限定的に前記過去交通情報として記憶している。
【００１６】
この構成により、過去の膨大な交通情報のうちの一部を過去交通情報記憶手段に格納するので、記憶手段の規模が同じであっても、より長い期間の交通情報を格納でき、また、地理的にも広い範囲の交通情報を格納でき、豊富な情報を案内情報の生成に利用できる。
【００１７】
また、本発明のナビゲーション装置において、前記過去交通情報記憶手段は、過去のリアルタイムな提供時点が互いに離れるように前記提供期間の交通情報から抽出された抽出渋滞情報を前記過去交通情報として記憶している。
【００１８】
この構成により、さらに限定された交通情報を過去交通情報記憶手段に格納するので、記憶手段の規模が同じであっても、より長い期間の交通情報を格納でき、また、地理的にも広い範囲の交通情報を格納でき、豊富な情報を案内情報の生成に利用できる。
【００１９】
また、本発明のナビゲーション装置は、前記過去交通情報記憶手段に記憶されている過去交通情報のデータのフォーマットを、前記交通情報センターが交通情報をリアルタイムに通信で提供するときのデータのフォーマットへと変換するフォーマット変換手段を備える。
【００２０】
この構成により、ナビゲーション装置は、交通情報センターからリアルタイムで受信した交通情報に適合する案内処理機能を、リアルタイムでない過去交通情報の処理にも利用でき、処理機能を簡素化できる。
【００２１】
また、本発明のナビゲーション装置は、前記交通情報センターから通信でリアルタイムに交通情報を入手する交通情報受信手段を備え、前記案内処理手段は、前記交通情報受信手段により前記交通情報センターから入手される現在交通情報と前記過去交通情報記憶手段に記憶されている過去交通情報を用いて案内情報を生成する。
【００２２】
この構成により、過去交通情報と現在交通情報を用いて従来にない便利な情報を提供できる。例えば、現在交通情報では得られない情報を過去交通情報でもって補える。
【００２３】
また、本発明ナビゲーション装置において、案内処理手段は、前記現在交通情報が示す現在の交通情報よりも未来の予測交通情報として、前記過去交通情報記憶手段に記憶された過去交通情報を用いる。
【００２４】
この構成により、現在交通情報だけでは提供できない、未来の予測交通情報を用いて案内情報を提供できる。
【００２５】
また、本発明のナビゲーション装置において、前記案内処理手段は前記交通情報受信手段により前記交通情報センターから受信される前記現在交通情報が網羅する地理的範囲外の地域に関連する案内情報の生成のために前記過去交通情報記憶手段に記憶された過去交通情報を用いる。
【００２６】
この構成により、現在交通情報だけでは網羅されていない場所の交通情報も利用でき、より広範囲の交通情報を用いて案内情報を提供できる。
【００２７】
また、本発明のナビゲーション装置において、前記案内処理手段は、前記交通情報受信手段により前記交通情報センターから前記現在交通情報が受信されない未受信期間に前記過去交通情報を用いる。
【００２８】
この構成により、車両の始動時のように現在交通情報が受信されない未受信期間にも交通情報を利用した案内情報を提供でき、案内情報を迅速に提供できる。
【００２９】
また、本発明のナビゲーション装置において、前記案内処理手段は、前記交通情報受信手段が前記交通情報センターから前記現在交通情報を受信不能なエリアで、前記過去交通情報記憶手段に記憶された過去交通情報を用いる。
【００３０】
この構成により、現在交通情報を受信できないエリアでも、交通情報を用いた案内処理が可能である。
【００３１】
また、本発明のナビゲーション装置において、前記案内処理手段は、前記過去交通情報記憶手段に記憶された、提供時点がずれた複数時点の過去交通情報を用いて交通状況の時間的変化を表す案内情報を生成する。
【００３２】
この構成により、現在交通情報だけでは提供できない、交通状況の時間的変化を表す案内情報を提供できる。例えば、過去の交通情報を参照して、交通渋滞の時間的変化をコマ送りで提示できる。
【００３３】
また、本発明のナビゲーション装置において、前記案内処理手段は、同地点における複数時点の過去交通情報を次々と提示する案内情報を生成することで、同地点における交通状況の時間的変化を表す案内情報を生成する。
【００３４】
この構成により、現在交通情報だけでは提供できない、同地点の交通状況の変化を表す案内情報を提供できる。
【００３５】
また、本発明のナビゲーション装置において、前記案内処理手段は、現在位置からの距離に応じて提供時点がずれた複数時点の過去交通情報を用いて案内情報を生成する。
【００３６】
この構成により、車両がこれから到達する各場所ごとの到達時の予測交通情報を用いて案内情報を生成することができるので、現在の交通状況のみに基づく案内情報と異なり、車両が走行するときの時間経過による交通状況の変化に基づいた案内情報を提供できる。
【００３７】
また、本発明のナビゲーション装置において、前記案内処理手段は、現在位置周辺に関しては交通情報受信手段により交通情報センターから通信でリアルタイムに得られる現在交通情報を用いる。
【００３８】
この構成により、現在位置周辺については現在の交通情報を使用するとともに、現在位置から離れた場所については上述のように過去交通情報を利用するので、現在交通情報と過去交通情報を適切に組み合わせて適当な案内情報を提供できる。
【００３９】
また、本発明のナビゲーション方法は、交通情報センターから過去の所定の提供期間内にリアルタイムに提供された交通情報が前記提供期間の経過後に過去交通情報として格納された過去交通情報記憶手段から過去交通情報を読み出すステップと、前記過去交通情報記憶手段から読み出された過去交通情報を用いて案内情報を生成するステップとを備える。
【００４０】
この構成によっても、上述のナビゲーション装置と同様の利点が得られる。上記のナビゲーション方法は、典型的には、車載のナビゲーション装置で実行されるが、パーソナルコンピュータおよび携帯端末などの他の電子機器で実行されてもよい。
【００４１】
また、本発明のナビゲーション用プログラムは、交通情報センターから過去の所定の提供期間内にリアルタイムに提供された交通情報が前記提供期間の経過後に過去交通情報として格納された過去交通情報記憶手段から過去交通情報を読み出すステップと、前記過去交通情報記憶手段から読み出された過去交通情報を用いて案内情報を生成するステップとをコンピュータに実行させる。
【００４２】
この構成によっても、上述のナビゲーション装置と同様の利点が得られる。上記のプログラムは、典型的には、車載のナビゲーション装置で実行されるが、パーソナルコンピュータおよび携帯端末などの他の電子機器で実行されてもよい。また、本発明のプログラム記録媒体は、上記のプログラムを格納した、コンピュータにて読取可能な媒体である。
【発明の効果】
【００４３】
本発明は、交通情報センターから過去の所定の提供期間内にリアルタイムに提供された交通情報が提供期間の経過後に過去交通情報として格納された過去交通情報記憶手段を設けることにより、リアルタイムな交通情報を用いるだけでは提供できない便利な案内情報をユーザに提供できるという効果を有するナビゲーション装置を提供することができるものである。
【発明を実施するための最良の形態】
【００４４】
以下、本発明の実施の形態のナビゲーション装置について、図面を用いて説明する。
【００４５】
図１は、本発明の実施の形態のナビゲーション装置を示す機能ブロック部であり、図２は、図１のナビゲーション装置のハードウエア構成例を示している。
【００４６】
まず、図２を参照すると、ナビゲーション装置１０は、位置検出器３０、ＶＩＣＳ受信機３２、外部記憶装置３４、出力装置３６、入力装置３８およびナビゲーションコンピュータ４０を備えている。
【００４７】
位置検出器３０は、ＧＰＳアンテナを有し、ＧＰＳ衛星から受信する電波を用いて車両の現在位置を検出する。ＶＩＣＳ受信機３２は、ＶＩＣＳセンターから提供される交通情報（ＶＩＣＳデータ）を受信する。ＶＩＣＳ受信機３２は、ＦＭ多重放送による交通情報の受信機能と、路側に設置されたビーコン装置との通信による交通情報の受信機能とを有する。交通情報は例えば５分間隔で更新されており、これによりリアルタイムな交通情報が提供されている。
【００４８】
外部記憶装置３４は、例えばハードディスクで構成されている。外部記憶装置３４は、案内処理に使う各種の情報を記憶しており、その中には、地図および経路探索用のデータが含まれる。
【００４９】
出力装置３６は、典型的にはディスプレイおよびスピーカである。入力装置３８は、典型的にはディスプレイの周囲に配置されたスイッチであり、また、ディスプレイ上のタッチパネル又はリモコン受信機である。入力装置３８は、音声入力装置を含んでもよい。
【００５０】
ナビゲーションコンピュータ４０は、ナビゲーション装置１０の全体を制御するとともに、案内情報を生成し、出力装置３６からユーザに案内情報を提供する。ナビゲーションコンピュータ４０は、案内情報として、例えば、位置検出器３０により検出された現在位置の周辺の地図を表示し、また、目的地までの最適経路を地図上に表示し、また、ＶＩＣＳ受信機３２で受信された渋滞等の交通情報を地図上に表示する。
【００５１】
次に、図１の機能ブロック図を参照すると、図１において、ナビゲーション案内処理部１２は、図２のナビゲーションコンピュータ４０に対応し、案内情報を提供する機能を実現する。すなわち、ナビゲーション案内処理部１２は、交通情報受信処理部１４、地図表示処理部１６および経路探索処理部１８を含み、そして、交通情報を受信し、地図表示および経路探索を含む各種の案内処理を行う。
【００５２】
図１に示すように、ナビゲーション装置１０は、ナビゲーション案内処理部１２に加え、さらに過去交通情報記憶部２０、抽出部２２およびフォーマット変換部２４を有する。過去交通情報記憶部２０は、図２の外部記憶装置３４で構成され、抽出部２２およびフォーマット変換部２４は図２のナビゲーションコンピュータ４０で構成される。
【００５３】
過去交通情報記憶部２０は、ＶＩＣＳセンターから過去の所定の提供期間内にリアルタイムに提供された交通情報を記憶している。交通情報は、提供期間が経過した後にまとめて過去交通情報記憶部２０に格納される。
【００５４】
ここで、過去交通情報記憶部２０に格納されている交通情報を、以下、過去交通情報という。これに対して、ＶＩＣＳセンターからリアルタイムで受信される交通情報を現在交通情報という。
【００５５】
ＶＩＣＳセンターの現在交通情報は、提供地域ごとに異なっている。すなわち、ＦＭ多重放送の交通情報は、対象の県内の情報のみを含んでおり、また、ビーコンの交通情報は、ビーコンが設置される道路に関連した狭い範囲の情報のみを含んでいる。これに対して、過去交通情報記憶部２０に記憶されている過去交通情報の提供地域は全国であり、すなわち、過去交通情報記憶部２０には、全国で過去に提供された交通情報がまとめて格納されている。
【００５６】
また、過去交通情報記憶部２０は、ハードウエアとしては、上記のように図２の外部記憶装置３４により構成されている。外部記憶装置３４は例えばハードディスクであり、地図データなどの他のデータとともに過去交通情報を記憶している。
【００５７】
次に、抽出部２２は、過去交通情報記憶部２０から必要な過去交通情報を抽出する。抽出部２２は、ナビゲーション案内処理部１２の地図表示処理部１６および経路探索処理部１８から抽出対象の過去交通情報の指示を受け、指示に応じた過去交通情報を過去交通情報記憶部２０から取り出す。
【００５８】
フォーマット変換部２４は、過去交通情報記憶部２０に記憶されている過去交通情報のデータのフォーマットを、現在交通情報のデータのフォーマットへと変換する。過去交通情報は、フォーマット変換後にナビゲーション案内処理部１２の交通情報受信処理部１４に供給され、そして、地図表示処理部１６および経路探索処理部１８で使用される。
【００５９】
次に、図３〜図５を参照して、過去交通情報記憶部２０に格納されている過去交通情報についてより詳細に説明する。
【００６０】
図３は、過去交通情報記憶部２０に過去交通情報が格納されるまでのフローを示している。
【００６１】
図３において、ＶＩＣＳセンター５０は、リアルタイムで現在交通情報を配信する。この情報は、蓄積センター５２の交通情報データベース５４に蓄積される。蓄積センター５２は、交通情報バックアップデータベース５６も備えている。
【００６２】
そして、１年分の過去交通情報が蓄積されると、過去交通情報が蓄積センター５２から編集センター５８へ渡される。これにより、編集センター５８は、最新の１年分の過去交通情報を入手する。過去交通情報は、記録媒体に保存された状態で編集センター５４へ渡されてもよく、インターネットを経由して渡されてもよく、専用線を介して渡されてもよい。
【００６３】
編集センター５８では、過去交通情報が交通情報データベース６０に格納される。編集センター５８では、実際にナビゲーション装置１０の過去交通情報記憶部２０に格納するかたちへと過去交通情報のデータが加工される。ここでは、後述するデータ量削減処理が行われ、また、適当な形式で圧縮処理が行われる。
【００６４】
加工後の過去交通情報は、工場出荷時にナビゲーション装置１０にダウンロードされる。これにより、ナビゲーション装置１０のハードディスクに過去交通情報が格納される。
【００６５】
図４は、過去交通情報をナビゲーション装置１０に格納するまでのフローの別の例を示している。この例では、蓄積センター５２から編集センター５８へ、過去交通情報がインターネットまたは専用線を介して送られる。そして、編集センター５８は、インターネット経由で、各ユーザのパーソナルコンピュータ６２へ、過去交通情報を送信する。ユーザのパーソナルコンピュータ６２では、過去交通情報がカード型の記録媒体６４に記録される。記録媒体６４がナビゲーション装置１０に装着され、これによりナビゲーション装置１０に過去交通情報が格納される。又は、編集センター５８からインターネットで直接ナビゲーション装置１０に過去交通情報を格納してもよい。図４のフローは、工場出荷後に提供された過去交通情報をナビゲーション装置に格納することができる点で有利である。
【００６６】
次に、図５を参照すると、本実施の形態のナビゲーション装置１０においては、過去交通情報記憶部２０には、以下の３つの処理によってデータ量が削減された過去交通情報が記憶されている。
【００６７】
まず、一つ目の処理として、ＶＩＣＳの交通情報がもつ多様な情報から、本発明の渋滞情報に相当する渋滞旅行時間リンク情報のみが抽出されている。交通情報の全体のうちで、旅行時間リンク情報は一部であり、さらにその一部が渋滞旅行時間リンク情報である。渋滞旅行時間リンク情報は、渋滞の発生しているリンクと、そのリンクの旅行時間をもっている。なお、渋滞旅行時間リンク情報は、時刻、日付、曜日、エリアといった情報とともに、これらを区別可能な状態で過去交通情報記憶部２０に格納される。
【００６８】
２つ目の処理として、ＶＩＣＳの交通情報のデータが間引かれている。オリジナルの交通情報は５分単位でデータをもっている。これに対して、３０分おきのデータが残され、他のデータは捨てられている。これにより、過去交通情報記憶部２０には、３０分単位のデータが格納されている。
【００６９】
３つ目の処理として、交通情報のデータが圧縮されている。圧縮率は、例えば、０．７である。
【００７０】
上記のデータ量削減処理を経ることにより、オリジナルの過去交通情報のデータ量と比べると、過去交通情報記憶部２０の過去交通情報のデータ量は大幅に少なくなっている。図示のように、オリジナルの過去交通情報のデータ量は、全国、１年分で約３００Ｇｂｙｔｅである。これに対して、過去交通情報記憶部２０は、３Ｇｂｙｔｅの容量に、全国の１年分の過去交通情報を格納している。
【００７１】
図６は、フォーマット変換部２４の機能を説明するための図面である。図６に示すように、過去交通情報記憶部２０には、予め圧縮された過去交通情報が格納されている。この過去交通情報は、まず、解凍処理により伸長される。
【００７２】
この状態の過去交通情報のデータのフォーマットは、ＶＩＣＳセンターから配信される交通情報のデータのフォーマットであり、ＶＩＣＳセンターが車両向けにリアルタイムに提供している現在交通情報のデータのフォーマットとは異なっている。後者の現在交通情報のフォーマットは、ＦＭ多重放送、光ビーコンおよび電波ビーコンといった３メディアのフォーマットである。フォーマット変換部２４は、過去交通情報のフォーマットを、現在交通情報の３メディアのフォーマットに変換する。
【００７３】
フォーマット変換後の過去交通情報は、ナビゲーションコンピュータのメモリに確保されたデータ領域に保持される。この過去交通情報が、ナビゲーション案内処理部１２にて案内情報の生成に使用され、ＶＩＣＳ表示および経路探索等が行われる。このとき、過去交通情報に対して、現在交通情報のための既存処理のプログラムが適用される。
【００７４】
この点について、図１を参照すると、交通情報受信処理部１４は、フォーマット変換後の過去交通情報を受け取る。したがって、交通情報受信処理部１４は、ＶＩＣＳ受信機３２で受信される現在交通情報のデータと同じフォーマットの過去交通情報のデータを受け取ることになる。この過去交通情報が地図表示処理部１６および経路探索処理部１８に供給されるので、地図表示処理部１６および経路探索処理部１８は、案内情報の生成過程で、現在交通情報のための既存のデータ処理を過去交通情報にも適用できる。
【００７５】
例えば、地図表示処理部１６では、現在交通情報を用いる地図表示処理に、過去交通情報を適用する。これにより、過去の交通情報が地図中に表示される。また、経路探索処理部１８は、現在交通情報の代わりに過去交通情報を経路探索処理に適用する。これにより、過去交通情報を使った経路探索処理が行われる。
【００７６】
次に、本実施の形態のナビゲーション装置１０の動作を説明する。
【００７７】
まず、過去交通情報を使わないときの動作を説明すると、この場合の動作は従来のナビゲーション装置と同様であり、基本的な動作の例は下記の通りである。
【００７８】
ナビゲーション案内処理部１２の地図表示処理部１６は、現在位置の周辺の地図を表示する。この処理では、位置検出器３０により検出される現在位置が参照される。そして、現在位置周辺の地図が外部記憶装置３４の地図データベースから読み出され、ディスプレイに表示される。地図上の現在位置には、現在位置マークが表示される。
【００７９】
また、経路探索処理部１８は、ユーザにより目的地が入力されたとき、外部記憶装置３４の経路探索用のデータを参照して、現在位置から目的地までの最適経路を探索する。最適経路はディスプレイにて地図中に表示され、そして、最適経路に従ってユーザを案内する処理が行われる。例えば、交差点拡大図が表示され、また、音声ガイダンスが出力される。
【００８０】
交通情報受信処理部１４は、現在交通情報を受信する処理を行う。現在交通情報は、交通情報受信処理部１４から地図表示処理部１６および経路探索処理部１８に供給される。地図表示処理部１６は、交通情報が地図中に表示する処理を行う。例えば、渋滞箇所が、他の箇所と異なる色で表示される。また、経路探索処理部１８は、交通情報を経路探索処理に適用する。例えば、所要時間が渋滞情報に基づいて計算される。
【００８１】
次に、過去交通情報を使うときのナビゲーション装置１０の動作を説明する。過去交通情報を使うときは、地図表示処理部１６または経路探索処理部１８が、過去交通情報を抽出部２２に要求する。
【００８２】
抽出部２２は、地図表示処理部１６または経路探索処理部１８からの要求に示される過去交通情報を過去交通情報記憶部２０から抽出する。抽出された過去交通情報のデータのフォーマットがフォーマット変換部２４で現在交通情報のデータのフォーマットに変換される。そして、フォーマット変換後の過去交通情報が、交通情報受信処理部１４を介して地図表示処理部１６または経路探索処理部１８に供給され、案内処理に使用される。
【００８３】
以下、過去交通情報を使った具体的な案内処理の例を説明する。
【００８４】
「未来の交通情報の予測」
過去交通情報は、以下に説明するように、未来の予測交通情報として使うことができる。
【００８５】
図７は、過去交通情報を使う経路探索を説明するための図である。図示のように、ユーザが、入力装置３８を操作して、出発地および目的地とともに、未来の日時（例えば、翌日のある時刻）を入力したとする。
【００８６】
経路探索処理部１８は、ユーザの指定に対応する過去交通情報を抽出部２２に要求する。この要求には、指定日時と、出発地から目的地までの地域が条件として示される。
【００８７】
抽出部２２は、経路探索処理部１８の要求に応じた過去交通情報を、交通情報記憶部２０から抽出する。この処理では、経路探索部１８からの要求の条件に最も近い過去交通情報が抽出される。本実施の形態では、抽出部２２は、（１）指定された地域のデータであって、（２）指定日時の１年前の日に最も近く、指定日時と同じ曜日の同じ時刻のデータを検索する。
【００８８】
抽出された過去交通情報は、フォーマット変換部２４および交通情報受信処理部１４を経由して経路探索処理部１８に提供される。経路探索処理部１８は、過去交通情報を経路探索に使用する。経路探索処理では、過去交通情報を用いて、最適経路上の渋滞区間の通過時間を含んだ目的地までの所要時間が計算される。また、図示のように、経路探索に使用する過去交通情報がユーザに音声ガイダンスで伝えられる。
【００８９】
図８は、探索された最適経路の表示例を示している。図８において、最初の経路表示では、最適経路と共に、渋滞チェックボタンが画面上に設定されている。渋滞チェックボタンが押されると、図示のように、経路上の渋滞箇所が表示される。図中のＡＡ、ＢＢ、ＣＣは地名である。
【００９０】
以上、過去交通情報を用いた経路探索処理を説明した。上記のように、過去交通情報は、未来に予測される交通情報として使用することができる。
【００９１】
なお、上記の例では、渋滞情報は、最適経路を通る所要時間の計算に用いられたが、渋滞情報を用いて、渋滞区間を避ける経路が探索されてもよい。
【００９２】
また、過去交通情報は、地図表示処理においても、未来の予測情報として利用できる。例えば、未来の日時と場所がユーザにより入力装置３８を用いて入力される。地図表示処理部１６は、指定された日時と場所の過去交通情報を抽出部２２に要求する。この要求に応えて、過去交通情報記憶部２０から、過去交通情報が抽出される。経路探索処理と同様に、要求された条件に近い過去交通情報が抽出される。
【００９３】
抽出された過去交通情報は、フォーマット変換部２４および交通情報受信処理部１４を経由して地図表示処理部１６に提供される。そして、地図表示処理部１６が交通情報を表示する。例えば、渋滞箇所の道路が他の道路と異なる色で表示される。ユーザは、表示を見て、未来の指定日時の渋滞情報を予測することができる。
【００９４】
このように、地図表示処理においても、過去交通情報を、未来の予測情報として利用できる。
【００９５】
「エリア外の交通情報の利用」
次に、本実施の形態におけるエリア外の交通情報、すなわち、ＶＩＣＳの現在交通情報が網羅する範囲の外の交通情報の利用について説明する。
【００９６】
ＶＩＣＳの現在交通情報は、現在位置周辺の交通情報しかもっていない。例えば、ＦＭ多重放送の現在交通情報は、現在位置の属する県内の交通情報しかもっていない。これに対して、過去交通情報記憶部２０には全国の過去交通情報が格納されており、したがって、現在位置から離れた場所の交通情報も格納されている。このような離れた場所の交通情報を使うことで、便利な案内情報を提供できる。
【００９７】
図９の例を参照すると、ユーザがＡ県にいるときに、経路探索の目的地としてＣ県のある場所を入力したとする。このとき、現在交通情報からは、Ａ県の情報しか得られない。そこで、経路探索処理部１８は、抽出部２２に対して、Ｂ県およびＣ県の過去交通情報を要求する。抽出部２２は、要求に最も近い過去交通情報を過去交通情報記憶部２０から抽出する。前出の例と同様にして、約１年前の同じ曜日の同じ時間におけるＢ県およびＣ県の過去交通情報が抽出される。抽出された過去交通情報は、フォーマット変換部２４および交通情報受信処理部１４を経て、経路探索処理部１８に供給され、経路探索に使われる。このとき、図示のように、経路探索に使用する過去交通情報がユーザに音声ガイダンスで伝えられる。
【００９８】
上記のようなエリア外の過去交通情報は地図表示処理でも好適に利用される。例えば、車両が県境の近くにおり、２つの県にまたがって渋滞が生じているとする。この場合、現在交通情報だけでは、隣の県の渋滞状況が不明であり、隣の県の渋滞を表示できない。しかし、渋滞が県境で突如消滅するのは不自然であり、実際の状況と相違することがある。これに対して、本実施の形態では、隣の県の渋滞情報は、過去交通情報から入手できる。したがって、現在位置する県から隣の県まで連続する渋滞が表示される。このように、本実施の形態によれば、自然で妥当な情報を提供できる。
【００９９】
「未受信期間の情報提供」
ナビゲーションの起動から現在交通情報の受信まではある程度のタイムラグがある。すなわち、ＦＭ多重放送については、車両のＡＣＣスイッチオンからデータ受信までに約２分を要し、また、ビーコンについては、車両がビーコンに到達するまではデータを受信できず、この未受信期間には現在交通情報を使った案内はできない。そこで、このような未受信期間には、過去交通情報を使って案内情報を提供することが好適である。
【０１００】
図１０の例では、運転開始位置の周辺に、選択肢として２本の幹線道路がある。従来は、現在交通情報が受信されるまで、どちらの道路が渋滞しているかがユーザには分からない。これに対して、本実施の形態では、未受信期間には、地図表示処理部１６が現在位置周辺の過去交通情報を抽出部２２に要求する。これに応えて、現在日時に近い条件をもつ過去交通情報が抽出される。ここでも、現在日時と曜日および時刻が同じで、約１年前の過去交通情報が読み出される。この過去交通情報に基づき、地図表示処理部１６は、地図中に過去の渋滞を表示する。ユーザは、現在交通情報の受信を待たないでも、どの道路を通るかを決めるための有用な情報が得られる。
【０１０１】
上記の例では、未受信期間に過去交通情報を用いた地図表示が行われたが、過去交通情報を用いた経路探索も未受信期間に好適に行われる。
【０１０２】
「受信不能エリアでの情報提供」
また、過去交通情報を用いると、現在交通情報を受信できない場所でも、交通情報を用いた案内処理ができる。
【０１０３】
図１１の例を参照すると、車両は山中の受信不能エリアにおり、現在交通情報を受信できない。しかし、地図表示処理部１６の要求に応えて、現在の日時に条件的に近い過去交通情報が、過去交通情報記憶部２０から読み出される。すなわち、現在日時と曜日および時刻が同じで、約１年前の過去交通情報が読み出される。そして、読み出された過去交通情報を用いて、麓の渋滞が表示される。ユーザは、山中の受信不能エリアにいるにも拘わらず、麓の渋滞状況を知ることができる。
【０１０４】
なお、受信不能エリアで経路探索を指示したときも、過去交通情報が好適に利用される。
【０１０５】
「コマ送り表示」
過去交通情報は、以下に説明するように、時間的変化を含んだ案内に利用できる。
【０１０６】
ここでは、例としてコマ送り表示を取り上げる。前述のように、過去交通情報記憶部２０には、３０分単位の渋滞情報が記憶されている。地図表示処理部１６が、この３０分単位の一連の渋滞情報のデータを要求すると、それらの渋滞情報が読み出される。そして、読み出された一連の渋滞情報は、地図表示処理部１６によりディスプレイ上に順次表示され、これにより、渋滞の時間的変化を表すコマ送り表示が実現される。コマ送りは、ユーザの送り操作に従って行われてもよく、自動的に行われてもよい。
【０１０７】
図１２は、コマ送り表示の例を示している。図示のように、画面下方に「３０分前」および「３０分後」のボタンが設定されている。このボタンが押されると、ボタン操作に応答して、３０分前または３０分後の渋滞情報が表示される。
【０１０８】
図１２の例では、まず、現在地点であるＡ地点の１４時の渋滞情報が表示されている。ユーザは、画面を見て、現在の周囲の渋滞状況を知ることができる。
【０１０９】
ユーザは画面をスクロールして、Ｂ地点の地図を表示する。Ｂ地点へ到達するのは３０分程度後であることが予想される。このとき、ユーザは、「３０分後」のボタンを押し、Ｂ地点を通るころの渋滞情報をディスプレイに表示させることができる。
【０１１０】
同様に、ユーザは画面をスクロールして、Ｃ地点の地図を表示する。Ｃ地点へ到達するのは今から６０分程度後であることが予想される。このとき、ユーザは、さらに「３０分後」のボタンを押し、Ｃ地点を通るころの渋滞情報をディスプレイに表示させることができる。
【０１１１】
また、同地点の地図を表示している状態で、「３０分前」または「３０分後」のボタンを連続して押すことにより、３０分毎の渋滞情報がコマ送りで次々と表示され、渋滞の変化が分かる。「３０分前」または「３０分後」のボタンが押し続けられたとき、所定時間（例えば３秒）ごとに自動的に表示が切り替えられ、コマ送りがなされてもよい。
【０１１２】
「距離と到達時間を考慮した案内処理」
次に、本実施の形態のさらに好適な案内処理を説明する。本実施の形態では、以下に説明するように、現在位置からの距離に応じて、ＦＭ放送等でリアルタイムに提供したときの提供時点がずれた複数時点の過去交通情報を用いて経路探索を行う。これにより、現在位置から離れた場所までの距離とその場所への到達時間を考慮した案内情報を生成できる。
【０１１３】
図１３を参照すると、この例では、現在位置Ｏから目的地Ｄまでの経路を探索する。このとき、現在交通情報に基づくと、現在位置Ｏから３０分で地点Ａまで到達できるとする。この場合、現在交通情報は、区間ＯＡの経路探索に使われる。そして、地点Ａから先の経路探索には、過去交通情報が使用される。
【０１１４】
まず、経路探索処理部１８は、抽出部２２に要求を出し、区間Ａから先の場所の過去交通情報を取得する。このとき、現在の日付に条件が近く、現在時刻から３０分後の過去交通情報が取得される。より詳細には、現在日時と同じ曜日で、１年前の同じ日に最も近い日の、現在時刻から３０分後のデータが取得される。経路探索処理部１８は、読み出した過去交通情報を用いて、地点Ａから３０分で到達できる場所を求める。ここでは、地点Ａから３０分で地点Ｂまで到達できるとする。
【０１１５】
次に、経路探索処理部１８は、地点Ｂから先の場所の過去交通情報を取得する。ここでは、上記で取得した過去交通情報と同じ日のデータであって、さらに３０分後のデータが取得される。経路探索処理部１８は、上記の処理を繰り返す。
【０１１６】
このようにして、図１３の処理では、区間ＯＡについては現在交通情報が使用され、区間ＡＢ、区間ＢＣ、区間ＣＤについては過去交通情報が使用される。区間ＡＢ、区間ＢＣ、区間ＣＤでは、リアルタイムに提供したときの提供時刻が３０分ずつずれた過去交通情報が使用される。
【０１１７】
図１３に示したように、本実施の形態では、現在位置からの距離に応じて提供時点が所定時間ずつずれた複数時点の過去交通情報を用いて案内情報を生成している。現在位置からの距離に応じて、各場所までの移動時間の差分だけ提供時間がずれた過去交通情報を使用しており、これにより、現在位置から離れた場所における交通情報を考慮した適切な案内情報を生成できる。
【０１１８】
以上、本発明の実施の形態のナビゲーション装置について説明した。本実施の形態によれば、リアルタイムな情報提供の後にまとめて過去交通情報記憶手段に格納された過去交通情報を利用して案内情報を生成でき、したがって、未来に予測される案内情報を提供したり、現在位置から離れた場所の案内情報を提供でき、リアルタイムな交通情報を用いるだけでは提供できない便利な案内情報をユーザに提供できる。
【０１１９】
また、本実施の形態では、ナビゲーション装置が、提供期間の交通情報のうちの渋滞情報を限定的に記憶しているので、より長い期間の交通情報を格納でき、また、地理的にも広い範囲の交通情報を格納でき、豊富な情報を案内情報の生成に利用できる。
【０１２０】
また、本実施の形態では、過去のリアルタイムな提供時点が互いに離れるように抽出された渋滞情報（上記の例では３０分間隔のデータ）を記憶しているので、より一層、過去交通情報のデータ量を削減できる。
【０１２１】
また、本実施の形態では、過去交通情報のデータのフォーマットを現在交通情報のデータのフォーマットに変換するので、既に述べたように、現在交通情報のための既存の案内処理機能を、リアルタイムでない過去交通情報の処理にも利用でき、処理機能を簡素化できる。
【０１２２】
また、本実施の形態では、ナビゲーション装置が過去交通情報と現在交通情報を用いるので、従来にない便利な情報を提供できる。現在交通情報では得られない情報を過去交通情報でもって補える。
【０１２３】
本実施の形態では、案内処理部が、未来の予測交通情報として過去交通情報を用いることにより、現在交通情報だけでは提供できない予測交通情報を用いて案内情報を提供できる。
【０１２４】
また、本実施の形態では、案内処理部が、現在交通情報では網羅されないエリアの過去交通情報を使用するので、より広範囲の交通情報を用いて案内情報を提供できる。
【０１２５】
また、本実施の形態では、現在交通情報が受信されない未受信期間に過去交通情報を用いるので、車両の始動時のように現在交通情報が受信されない未受信期間にも交通情報を利用した案内情報を提供でき、案内情報を迅速に提供できる。
【０１２６】
また、本実施の形態では、現在交通情報を受信不能なエリアで過去交通情報を利用するので、受信不能なエリアでも交通情報を使った案内情報を提供できる。
【０１２７】
また、本実施の形態では、上記のコマ送り表示の例に見られるように、提供時点がずれた複数時点の過去交通情報を用いて交通状況の時間的変化を表す案内情報を生成するので、現在交通情報だけでは提供できない時間的変化を表す案内情報を提供できる。
【０１２８】
また、本実施の形態では、同地点における提供時点がずれた複数時点の過去交通情報を次々と提示する案内情報を生成することで、現在交通情報だけでは提供できない、同地点の交通状況の変化を表す案内情報を提供できる。
【０１２９】
また、本実施の形態では、現在位置からの距離に応じて提供時点がずれた複数時点の過去交通情報を用いて案内情報を生成するので、車両がこれから到達する各場所ごとの到達時の予測交通情報を用いて案内情報を生成することができ、したがって、現在の交通状況のみに基づく案内情報と異なり、車両が走行するときの時間経過による交通状況の変化に基づいた案内情報を提供でき、より適切な案内情報を提供できる。
【０１３０】
また、本実施の形態では、現在位置周辺に関しては交通情報受信手段により交通情報センターから通信でリアルタイムに得られる現在交通情報を用いており、現在位置周辺については現在の交通情報を使用するとともに、現在位置から離れた場所については上述のように過去交通情報を利用するので、現在交通情報と過去交通情報を適切に組み合わせて適当な案内情報を提供できる。
【０１３１】
次に、上述の実施の形態の変形例を説明する。例えば、上記の実施の形態では、過去交通情報を格納する外部記憶装置がハードディスクであったが、本発明はこれに限定されず、例えば、外部記憶装置がＤＶＤでもよい。
【０１３２】
また、上記の実施の形態では全国の過去交通情報が格納されたが、本発明はこれに限定されず、本発明の範囲で十分に広範囲の過去交通情報が格納されればよく、例えば、本州、四国、九州、北海道のいずれかのエリアの過去交通情報が格納されてもよく、また、近畿地方、関東地方といった地方全体の過去交通情報が格納されてもよい。
【０１３３】
また、上記の実施の形態では、過去交通情報と現在交通情報の両方が利用されたが、本発明の範囲内で過去交通情報のみが利用されてもよい。この場合、現在交通情報を受信するＶＩＣＳ受信機は廃止されてもよい。現在交通情報を受信しないことで、提供できる情報が制限されるものの、装置のコストを低減できる。
【０１３４】
上記の変形例に限らず、本発明は、上述の実施の形態に限定されず、当業者が本発明の範囲内で上述の実施の形態を変形可能なことはもちろんである。
【産業上の利用可能性】
【０１３５】
本発明のナビゲーション装置は、過去交通情報を使った便利な案内情報を提供でき、車載電子機器等として有用である。
【図面の簡単な説明】
【０１３６】
【図１】本発明の実施の形態におけるナビゲーション装置のブロック図
【図２】本発明の実施の形態におけるナビゲーション装置のハードウエア構成を示すブロック図
【図３】本発明の実施の形態におけるナビゲーション装置に過去交通情報を格納するまでの処理の流れを示す図
【図４】本発明の実施の形態におけるナビゲーション装置に過去交通情報を格納するまでの処理の流れを示す図
【図５】本発明の実施の形態におけるナビゲーション装置に適用された過去交通情報のデータ量の削減処理を示す図
【図６】本発明の実施の形態におけるナビゲーション装置のフォーマット変換部の機能を示す図
【図７】過去交通情報を用いる案内処理の例を示す図
【図８】過去交通情報を用いる案内処理の例を示す図
【図９】過去交通情報を用いる案内処理の例を示す図
【図１０】過去交通情報を用いる案内処理の例を示す図
【図１１】過去交通情報を用いる案内処理の例を示す図
【図１２】過去交通情報を用いる案内処理の例を示す図
【図１３】過去交通情報を用いる案内処理の例を示す図
【符号の説明】
【０１３７】
１０  ナビゲーション装置
１２  ナビゲーション案内処理部
１４  交通情報受信処理部
１６  地図表示処理部
１８  経路探索処理部
２０  過去交通情報記憶部
２２  抽出部
２４  フォーマット変換部
【図１】
2005181152.tif 000003
【図２】
2005181152.tif 000004
【図３】
2005181152.tif 000005
【図４】
2005181152.tif 000006
【図５】
2005181152.tif 000007
【図６】
2005181152.tif 000008
【図７】
2005181152.tif 000009
【図８】
2005181152.tif 000010
【図９】
2005181152.tif 000011
【図１０】
2005181152.tif 000012
【図１１】
2005181152.tif 000013
【図１２】
2005181152.tif 000014
【図１３】
2005181152.tif 000015